(57)【要約】【課題】  本発明は、医療機関に行かなくても、機器、器具等を使わず、何時でも、何処にいても短時間に簡単にできる自力上下肢牽引ベルトを提供する。【解決手段】  本発明は、調節具にベルトの端を通し和装の襟の右前合わせ状の輪と和装の左前合わせ状の輪を設け、それぞれのベルト調節具の中央の柱に固定し、調節輪を両端に設けた自力上下肢牽引ベルトと、ベルトを和装の襟の右前合わせ状と左前合わせ状の固定輪を２個設けた自力上下肢牽引ベルト。【選択図】図１
2019034091.tif 000002
【特許請求の範囲】
【請求項１】
ベルトの端に和装の襟の右前合わせ状の調節輪と一方の端に和装の襟の左前合わせ状の調節輪を設けた自力上下肢牽引ベルト。
【請求項２】
ベルトで和装の襟の右前合わせ状の固定輪と和装の襟の左前合わせ状の固定輪を２個設けた請求項１に記載の自力上下肢牽引ベルト。
【発明の詳細な説明】
【技術分野】
【０００１】  本発明は、医療機関や接骨院に行かなくても、機器、器具等を使わず、何時でも、何処にいても短時間に簡単にできる自力上下肢牽引ベルトに関するものである。
【背景技術】
【０００２】  従来、牽引療法は医療機関や接骨院でのみ機器や器具などを使用され行われていた。
【先行技術文献】
【特許文献】
【０００３】
【特許文献１】特開２０１３−２１５５４７号公報
【特許文献２】特開２００８−１６１５４７号公報
【特許文献３】実開平１１−１３７７１７号公報
【発明の概要】
【発明の解決しようとする課題】
【０００４】  従来、機器や器具を使用せずに、何時でも、何処でも、簡単に短時間で、自力で上下肢の牽引ができる自力上下肢牽引ベルトはなかった。
本発明は、以上のような悩みを解消するためになされたものである。
【課題を解決するための手段】
【０００５】  本発明の、自力上下肢牽引ベルトを設けるときは、ベルト（１）の端に右足用に和装の襟の右前合わせ状の調節輪（３）を設け、ベルト調節具の柱（５）に固定し、一方の端に左足用に和装の襟の左前合わせ状の調節輪（４）を設け、ベルト調節具の柱（５）に固定する。
本発明の、自力上下肢牽引ベルトの固定輪を設けるときは、右足用に和装の襟の右前合わせ状の固定輪（図３）を作り接着固定（７）し、右足用の固定輪（図３）を設け、左足用に和装の襟の左前合わせ状の輪（図４）を作り接着固定（７）し、左足用の固定輪（図４）を設ける。
本発明は、以上の構成よりなる自力上下肢牽引ベルトである。
【発明の効果】
【０００６】  本発明の、自力上下肢牽引ベルトは軽量で小さく携帯することができ、何時でも、何処でも、簡単に自力で上下肢を牽引することができる。
本発明の、牽引具を使用することで牽引される下肢はアキレス腱や下肢の筋肉が伸ばされ、牽引する下肢は大腿四頭筋をはじめ下肢の筋肉が強化され相乗効果もある。
本発明の、自力上下肢牽引ベルトは頸部も牽引することができ寝違えやむち打ち症等に効果がある。
本発明の、自力上下肢牽引ベルトは、着座位でも牽引することができエコノミー症候群等の予防にも効果ある。
【図面の簡単な説明】
【０００７】
【図１】  本発明の自力上下肢牽引ベルトの斜視図である。
【図２】  本発明のベルト調節具の斜視図である
【図３】  右足用の和装の襟の右前合わせ状の固定輪の斜視図である。
【図４】  左足用の和装の襟の左前合わせ状の固定輪の斜視図である。
【発明を実施するための形態】
【０００８】  以下、本発明を実施するための形態について説明する。
本発明の自力上下肢牽引ベルトを設けるときは、先ず、右足用の輪を設けるときは、ベルト調節具の窓（６）の下からベルト（１）の端を通し、ベルト調節具（２）の他方の窓（６）の上から下に通し、ベルト（１）の端を右に半回転捻り輪を作りベルト調節具の柱（５）に固定し和装の襟の右前合わせ状の調節輪を設ける。
左足用の輪を設けるときは、他方のベルト調節具の窓（６）にベルト（１）の端を下から通し、ベルト調節具の他方の窓（６）の上から下に通し、そのベルト（１）の端を左に半回転捻り輪を作りベルト調節具の柱（５）に固定し和装の襟の左前合わせ状の調節輪を設ける。
本発明の自力上下肢牽引ベルトの固定輪を設けるときは、右足用の輪を設けるときは右に半回転捻り和装の襟の右前合わせ状の輪を作り接着固定して右足用固定輪（図３）を設ける。
左足用の輪を設けるときは左に半回転捻り和装の襟の左前合わせ状の調節輪を作り接着固定し左足用の固定輪（図４）を設ける。
本発明は、以上の構造である。
本発明を使用するときは、右上肢を牽引するときは、どちらかの調節輪に右足を土踏まずまで入れ下肢を伸ばし、一方の調節輪の下から右手首まで入れ手首が抜けないように手指を軽く曲げベルトに添え、次に、ベルト（１）がピーンと張るように調節して、側臥位になり右上肢を体側に上げて、右肩を頭側方向に気持ちが良いなと思う程度に弱く引き上げ牽引するが、足での牽引は絶対に行なわないこと。
左上肢を牽引するときは、どちらかの調節輪に左足を土踏まずまで入れ下肢を伸ばし、一方の調節輪の下から左手首まで入れ手首が抜けないように手指を軽く曲げベルトに添え、次に、ベルト（１）がピーンと張るように調節して、側臥位になり左上肢を体側に上げて、左肩を頭側方向に気持ちが良いなと思う程度に弱く引き上げ牽引するが、足での牽引は絶対に行なわないこと。
右下肢を牽引するときは、右足用の和装の襟の右前合わせ状の調節輪（３）のベルト調節具（２）を外側から左手の親指を上に掴み手首を返し調節輪（３）の上から右足首まで入れ、掴んだままの手首を元に返しベルト調節具（２）を内側に引いたときベルトが捻れずにＶ字になっていることを確認しＶ字の下から左足を甲まで差し込む。
このとき、ベルト調節具（２）が左足の甲に当たるようにし、また、調節輪（３）が大き過ぎないようにベルト調節具（２）で調節をして、仰臥位になり左下肢を静かに伸ばして右下肢を牽引するが、同時に右側の骨盤を頭側に引き上げると更に牽引されるが、気持ちが良いなと思う程度に弱く牽引する。
左下肢を牽引するときは、左足用の和装の襟の左前合わせ状の調節輪（４）のベルト調節具（２）を外側から右手の親指を上に掴み手首を返し調節輪（４）の上から左足首まで入れ、掴んだままの手首を元に返しベルト調節具（２）を内側に引いたときベルトが捻れずにＶ字になっていることを確認しＶ字の下から右足を甲まで差し込む。
このとき、ベルト調節具（２）が右足の甲に当たるようにし、また、調節輪（４）が大き過ぎないようにベルト調節具（２）で調節をして、仰臥位になり右下肢を静かに伸ばして左下肢を牽引するが、同時に左側の骨盤を頭側に引き上げると更に牽引されるが、気持ちが良いなと思う程度に弱く牽引する。
本発明の和装の襟の合わせ状の固定輪を使用するときは、右上肢を牽引するときは、左右関係なく一つの輪を右大腿部まで入れ、側臥位になり輪と大腿部の隙間に右手を差し入れ手が抜けないように手指を軽く曲げ右肩を頭側に引き上げ右上肢を弱く牽引する。
左上肢を牽引する時は、左右関係なく一つの輪を左大腿部まで入れ、側臥位になり輪と大腿部の隙間に左手を差し入れ手が抜けないように手指を軽く曲げ左肩を頭側に引き上げ左上肢を牽引する。
右下肢を牽引する時は、右足用の和装の襟の右前合わせ状の固定輪（図３）の接着固定部（７）を折り曲げ左手の親指を上にして掴み手首を返して輪の上から足首まで入れ、掴んだまま内側に引いたときベルトが捻れずにＶ字になっていることを確認しＶ字の下から左足を甲まで差し込み、仰臥位になり左下肢を静かに伸ばして右下肢を牽引するが、同時に右側の骨盤を頭側に引き上げるとさらに牽引されるが、気持ちが良いなと思う程度に弱く牽引する。
左下肢を牽引する時は、左足用の和装の襟の左前合わせ状の固定輪（図４）の接着固定部（７）を折り曲げ右手の親指を上にして掴み手首を返し輪の上から足首まで入れ、掴んだまま内側に引いたときにベルトが捻れずにＶ字になっていることを確認しＶ字の下から右足を甲まで差し込み、仰臥位になり右下肢を静かに伸ばして左下肢を牽引するが、同時に左側の骨盤を頭側に引き上げるとさらに牽引されるが、気持ちが良いなと思う程度に弱く牽引する。
頸部を牽引する時は、仰臥位になり左右の調節輪を両手で握り後頭部と頸部の境目にベルト中間部を当て頭頂方向に両手を伸ばし弱くゆっくり牽引する。
固定輪では頸部の牽引はできません。
【符号の説明】
【０００９】  １  ベルト
２  ベルト調節具
３  右足用の和装の襟の右前合わせ状の調節輪
４  左足用の和装の襟の左前合わせ状の調節輪
５  ベルト調節具の柱
６  ベルト調節具の窓
７  接着固定部
【図１】
2019034091.tif 000003
【図２】
2019034091.tif 000004
【図３】
2019034091.tif 000005
【図４】
2019034091.tif 000006